(57)【要約】【課題】制御パラメータをユーザが専用装置を使わずに容易に変更できるエレベータの制御装置を提供する。【解決手段】エレベータの制御装置は、標準釦が備えられるかご操作盤の操作による信号に基づき運行を制御し、標準釦の予め定められた特定操作による信号が入力されるとき、制御モードを通常運行とパラメータ変更との間で切り換えるモード切換手段と、パラメータ変更モードにおいて、戸閉釦と戸開釦との一方の操作による信号の入力を操作の度に増加または減少する０から９までの数の入力として処理し、他方の操作による信号の入力を入力の確定を意味する入力として処理する操作盤入力処理手段と、パラメータ変更モードにおいて、予め定められるメニューに基づく操作による数の入力に従って運行の制御のパラメータを変更するパラメータ変更手段と、を有する。【選択図】図４
2006016149.tif 000002
【特許請求の範囲】
【請求項１】
行先階呼び釦、戸閉釦および戸開釦を含む標準釦が備えられるかご操作盤の操作による信号に基づきエレベータの運行を制御するエレベータの制御装置において、
上記行先階呼び釦、戸閉釦または戸開釦の少なくとも１つの予め定められた特定操作による信号が入力されるとき、上記エレベータの制御モードを通常運行モードとパラメータ変更モードとの間で切り換えるモード切換手段と、
パラメータ変更モードにおいて、上記戸閉釦と上記戸開釦を数の入力に割り当て、上記戸閉釦と上記戸開釦の一方の操作による信号の入力を、上記操作の度に増加または減少する０から９までの数の入力として処理し、他方の操作による信号の入力を、入力の確定を意味する入力として処理する操作盤入力処理手段と、
パラメータ変更モードにおいて、予め定められるメニューに基づく操作による上記数の入力に従って上記運行の制御のパラメータを変更するパラメータ変更手段と、
を有し、
変更されるパラメータに従って上記エレベータの運行を制御することを特徴とするエレベータの制御装置。
【請求項２】
上記操作盤入力処理手段は、パラメータ変更モードにおいて、上記行先階呼び釦を数の入力に割り当て、上記行先階呼び釦の操作による信号の入力を、上記行先階呼び釦が示す行先階の階数と同じ数の入力として処理することを特徴とする請求項１に記載するエレベータの制御装置。
【請求項３】
パラメータ変更モードにおいて、上記入力される数を予め定められた暗証番号と照合し、両者が一致するときに上記パラメータ変更手段にパラメータの変更を許可する暗証番号照合手段を有することを特徴とする請求項１または２に記載するエレベータの制御装置。
【請求項４】
パラメータ変更モードにおいて、上記変更されるパラメータをエレベータの保守管理するセンターに通信回線を介して送信する送信手段を有することを特徴とする請求項１乃至３のいずれか一項に記載するエレベータの制御装置。
【発明の詳細な説明】
【技術分野】
【０００１】
この発明は、エレベータの運転制御パラメータをかご操作盤から変更するエレベータの制御装置に関する。
【背景技術】
【０００２】
エレベータは、特定者に必要な運転機能をタッチ入力によって表示する画像表示部と、この画像表示部に表示された画像を切り換えるスイッチと、画像表示部に表示される表示画像を制御する表示制御部と、画像表示部の表示面からタッチ式で入力されるデータを読みとる入力部と、この入力部で読み取ったデータを制御するデータ制御部を備える（例えば、特許文献１参照。）。
また、エレベータの制御装置は、エレベータのかご内に設けられ、行先階の登録を行なう行先階釦と、基準階、サービス切り離し階、パーキング階設定用の設定スイッチを有するかご操作盤と、前記行先階釦と設定スイッチの操作の組み合わせで、基準階、サービス切り離し階、パーキング階の設定を判別する機能判別回路とを備える（例えば、特許文献２参照。）。
また、エレベータの制御装置は、エレベータに対する呼びが無いときに、エレベータを適切な階へ分散待機させるようにしたものにおいて、エレベータのカゴ内に行先階ボタン、戸開ボタン及び戸閉ボタンを備えたカゴ操作盤を設け、このカゴ操作盤により分散待機するエレベータの待機階を設定可能にした。また、カゴ操作盤により設定された待機階及びその設定された時間を記憶して学習し、分散待機の待機階をその学習結果に基づいて設定する（例えば、特許文献３参照。）。
【０００３】
【特許文献１】特開平７−２１５６０１号公報
【特許文献２】特開２０００−１４３１０５号公報
【特許文献３】特開平７−２５５５１号公報
【発明の開示】
【発明が解決しようとする課題】
【０００４】
しかし、従来のエレベータは、制御パラメータの変更のために液晶タッチパネルを使用したり、特別のディスプレイを備えたりする必要があるので、コストが高くなり、既納品に対しても容易に追加改造することが困難であるという問題がある。
また、パラメータに含まれる時間、時間帯等のデータを直接入力できないという問題がある。
また、エレベータの速度及びドアの速度等を変更できるようなメニューも無く機能として限られているという問題がある。
【０００５】
この発明の目的は、エレベータの運行の制御パラメータをユーザが特別の専用装置を使わずに容易に変更可能となるエレベータの制御装置を提供することである。
【課題を解決するための手段】
【０００６】
この発明に係わるエレベータの制御装置は、行先階呼び釦、戸閉釦および戸開釦を含む標準釦が備えられるかご操作盤の操作による信号に基づきエレベータの運行を制御するエレベータの制御装置において、上記行先階呼び釦、戸閉釦または戸開釦の少なくとも１つの予め定められた特定操作による信号が入力されるとき、上記エレベータの制御モードを通常運行モードとパラメータ変更モードとの間で切り換えるモード切換手段と、パラメータ変更モードにおいて、上記戸閉釦と上記戸開釦を数の入力に割り当て、上記戸閉釦と上記戸開釦の一方の操作による信号の入力を、上記操作の度に増加または減少する０から９までの数の入力として処理し、他方の操作による信号の入力を、入力の確定を意味する入力として処理する操作盤入力処理手段と、パラメータ変更モードにおいて、予め定められるメニューに基づく操作による上記数の入力に従って上記運行の制御のパラメータを変更するパラメータ変更手段と、を有し、変更されるパラメータに従って上記エレベータの運行を制御する。
【発明の効果】
【０００７】
この発明に係わるエレベータの制御装置の効果は、特殊な入力装置ではなく、エレベータのかご操作盤に標準的に備えられる釦だけを用いて、ユーザが設置後運行制御のパラメータを変更できるので、安価にパラメータ変更のできるエレベータを提供することができる。
【発明を実施するための最良の形態】
【０００８】
実施の形態１．
図１は、この発明の実施の形態１に係わるパラメータ制御装置が設置されたエレベータの概観図である。図２は、パラメータの変更に用いるかご操作盤の平面図である。図３は、パラメータ変更シートの記載内容を示す図である。図４は、実施の形態１のパラメータ変更装置の機能ブロック図である。図５は、かご操作盤からの信号の入力の処理の内容を示す図である。図６は、パラメータを変更する手順を示すフローチャートである。
【０００９】
エレベータ１は、図１に示すように、昇降路２内を昇降するかご３、各階床の乗場に備えられる一般の呼び釦４、かご３内に備えられる標準のかご操作盤５、かご３を昇降するかご駆動装置６、かご駆動装置６を制御するエレベータ制御装置７から構成されている。
かご３は、内部に放送手段としてのスピーカ８が備えられている。
エレベータ制御装置７は、呼び釦４、かご操作盤５の操作による信号の入力に基づき、かご３などの運行を制御する。この運行のパラメータのうち、安全上変更されても問題がなく、かつユーザの好みに合わせて変更されてもよいパラメータは、変更可能なパラメータファイルとしてエレベータ制御装置７に記憶されている。エレベータ制御装置７は、変更されたパラメータを含むパラメータファイルに基づき、エレベータの運行を制御する。
エレベータ制御装置７は、ＣＰＵ、ＲＡＭ、ＲＯＭ、インターフェース回路を有するコンピュータから構成される。
変更可能なパラメータファイルは、エレベータ制御装置７に備えられるパラメータ変更装置１０により変更される。
呼び釦４、かご操作盤５は、通信回線９を介してエレベータ制御装置７に接続されている。
【００１０】
かご操作盤５は、図２に示すように、エレベータ１がサービスする階床分準備され、表面に数字が画かれている行先階呼び釦１１、戸閉釦１２、戸開釦１３、下半分に数字（以下、下表示と称す。）と上半分に記号（以下、上表示と称す。）が表示されるインジケータ１４から構成されている。これら行先階呼び釦１１、戸閉釦１２、戸開釦１３は、通常のエレベータ１のかご操作盤５に備えられているので、合わせて標準釦と称す。
【００１１】
エレベータ制御装置７のパラメータファイルの変更は、予め許可され、暗証番号が知らされた操作員により行われる。操作員は、エレベータ１の呼び登録がないとき、エレベータ１の標準釦の特定操作により運行制御モードを通常運行モードからパラメータ変更モードに切り換える。そして、操作員は、取り扱い説明書に添付される予め定められるパラメータ設定シートに基づき、かご操作盤５から所定の項目に所望の数を入力する。
【００１２】
パラメータ変更シートは、例えば、時間帯に応じた待機階床の設定の場合、図３に示すようなものである。
所定の項目として、開始時刻と終了時刻とからなる時間帯と対象の階床との２項目からなる。開始時刻は、４桁の数字により設定され、先の２桁の数字は時間、後の２桁の数字は分として設定される。終了時刻も開始時刻と同様に、４桁の数字により設定される。対象の階床は、１桁の数字である。なお、以下の説明では、総階床が６階とする例について説明するが、総階床の数は１桁に限るものではない。
【００１３】
また、エレベータの定格以下の速度の設定の場合、設定する速度の定格速度との割合とかごの走行方向との２項目が設定項目となる。設定する速度の定格速度に対する割合は、％を単位として、２桁の００から９９までである。また、走行方向は、１桁の１、２、３であり、１は上昇、２は下降、３は両方向を意味する。
【００１４】
パラメータ変更装置１０は、図４に示すように、操作盤入力処理手段２１、モード切換手段２２、暗証番号照合手段２３、メニュー選択手段２４、設定項目記憶手段２５、パラメータ変更手段２６、音声確認手段２７から構成されている。
【００１５】
操作盤入力処理手段２１は、かご操作盤５の普通釦の操作による信号の入力を通常運行モードとパラメータ変更モードとで異なる情報の入力として処理する。かご操作盤５の普通釦の操作は、短時間１回だけ押す通常操作と２つの釦を５秒間に亘って押し続ける特定操作がある。以下の説明において、戸閉釦１２と戸開釦１３とが同時に５秒間押し続ける例を挙げるが、特定操作はこれに限るものではない。
以下、操作盤入力処理手段２１における信号の処理について図５を参照して説明する。
通常運行モードにおいて、行先階呼び釦１１が押されて入力される信号は、行先階呼び釦１１の表面に画かれている数の入力とし、行き先呼び登録の階床の情報として用いられる。
また、通常運行モードにおいて、戸閉釦１２が通常操作のように押されて入力される信号は、エレベータ１のドアを閉めるための戸閉信号の入力と処理される。
また、通常運行モードにおいて、戸開釦１３が通常操作のように押されて入力される信号は、かご３が停止中にエレベータ１のドアを開けておくための戸開信号の入力と処理される。
また、通常運行モードにおいて、操作盤入力処理手段２１は、インジケータ１４の下表示として直近に到達した階床の数字を、上表示として移動方向を表す上向きまたは下向きの矢印を表示する。
また、通常運行モードにおいて、戸閉釦１２と戸開釦１３との特定操作として同時に５秒間押されて入力される信号は、モード切換信号の入力と処理される。
【００１６】
次に、パラメータ変更モードにおいて、行先階呼び釦１１が通常操作のように押されて入力される信号は、パラメータの変更のための表面に画かれている数の入力と処理される。
また、パラメータ変更モードにおいて、戸閉釦１２が最初に押されて入力される信号は、設定のための０の入力と処理され、次に押されて入力される信号は、１が加算された１の入力と処理される。以降も１回押されて入力される度の信号は、１がその前の操作で入力された数に加算された数の入力と処理される。９の入力と処理された後にさらに押されて入力された信号は、０の入力と処理される。
また、パラメータ変更モードにおいて、戸開釦１３が通常操作のように押されて入力される信号は、入力操作における確定信号と処理される。
また、操作盤入力処理手段２１は、パラメータ変更モードにおいて、行先階呼び釦１１または戸閉釦１２から入力される数をインジケータ１４の下表示に点滅して表示し、確定信号が入力されたとき点灯して表示する。
また、パラメータ変更モードにおいて、戸閉釦１２と戸開釦１３との特定操作として同時に５秒間押されて入力される信号は、モード切換信号の入力と処理される。
【００１７】
次に、図４に戻ってパラメータ変更装置１０の機能の説明を続ける。
モード切換手段２２は、操作盤入力処理手段２１からモード切換信号を受信したとき、現モードを他のモードに切り換える。モードは、通常運行モードとパラメータ変更モードの２つのモードからなる。そして、モード切換手段２２は、現モードが通常運行モードであるときにモード切換信号を受信したとき、パラメータ変更モードに切り換える。逆に、現モードがパラメータ変更モードであって、モード変更信号を受信したとき、通常運行モードに切り換える。そして、モード切換手段２２は、モード切換指令をエレベータ制御装置７と暗証番号照合手段２３とに送る。同時に、パラメータ変更モードに切り換えるときは、インジケータ１４の上表示に「−」を点灯して表示する。
【００１８】
暗証番号照合手段２３は、モード切換手段２２からモード切換指令が送信され、パラメータ変更モードに切り換えられたとき、操作盤入力処理手段２１から数が入力され、確定され、次に確定信号を受信したとき、その入力された数をパラメータの変更が許可された人に予め与えられた暗証番号と照合する。入力された数と暗証番号とが一致したとき、メニュー選択手段２４に変更許可指令を送る。暗証番号は、管理者以外の利用者のパラメータの変更を防止するためである。同時に、インジケータ１４の上表示に「−」を点滅して表示する。かご操作盤５の行先階呼び釦１１または戸閉釦１２から入力される数はインジケータ１４の下表示に点滅しながら表示される。そして、確定信号が入力されると、その数が確定され、インジケータ１４の下表示にその数が点灯して表示される。
【００１９】
メニュー選択手段２４は、暗証番号照合手段２３から変更許可指令を受けたとき、操作盤入力処理手段２１から送られるメニュー番号に相当する数を受け付け、インジケータの下表示にその数字を点滅する。次に、操作盤入力処理手段２１から確定信号を受け付けると、その相当する数のメニューのパラメータファイルをエレベータ制御装置７から読み出す。同時に、インジケータ１４の下表示にその数字を点灯する。
【００２０】
パラメータの変更のメニューは、以下の５つである。
１：時間帯に応じた待機階床の設定。
２：エレベータの定格以下の速度の設定。すなわち、エレベータの上昇速度、下降速度、上昇下降速度を夫々定格速度以下の範囲で設定することである。
３：ドア（戸）の定格以下の開閉速度の設定。すなわち、戸開速度、戸閉め速度、戸開閉速度の夫々を定格速度以下の範囲で設定することである。
４：戸開時間の設定。すなわち、エレベータが目的階に到着したときに、ドアが開かれている時間を設定することである。
５：自動休止時間の設定。すなわち、目的階に到着後、照明ＯＦＦ等省エネモードに移行するまでの時間を設定することである。
６：工場出荷時のパラメータに戻す。すなわち、全ての設定をクリアすることである。
【００２１】
なお、パラメータの変更のメニューとして、停止せずに通過する階床としての非停止階の設定を採り上げてもよい。たとえば、６階建てのビルにおいて４階に停止しないようにするときには、非停止階設定を４階とすればよい。
【００２２】
また、かご内空調の温度の設定、照明の明るさの設定など変更しても安全上問題が無いパラメータで有れば、パラメータの変更のメニューに追加してもよい。
【００２３】
設定項目記憶手段２５は、各メニューのパラメータファイルが記憶されている。
【００２４】
パラメータ変更手段２６は、操作員によるパラメータ変更シートに基づく各項目の値のかご操作盤５からの入力を受け付ける。なお、かご操作盤５の行先階呼び釦１１または戸閉釦１２から入力される数はインジケータ１４の下表示に点滅しながら表示される。そして、確定信号が入力されると、その数が確定され、インジケータ１４の下表示の数が点灯される。そして、パラメータ変更手段２６は、かご操作盤５からの確定された数をパラメータファイルに代入し、パラメータファイルを更新する。そして、パラメータ変更手段２６は、更新されたパラメータファイルが形式的に正しいか否かを判断する。形式的に正しいと判断したとき、該パラメータファイルを書き換える。同時に、正常終了を音声確認手段２７に通知する。また、更新されたパラメータファイルが形式的に異常と判断したとき、エレベータ制御装置７と音声確認手段２７とに異常終了を通知する。
【００２５】
音声確認手段２７は、パラメータ変更手段２６から正常終了が通知されたとき、該当するメニューの音声案内フレーズを設定項目記憶手段２５から読み出し、更新されたパラメータファイルから所望の項目を音声案内フレーズに挿入し、かご内のスピーカ８から放送する。
例えば、メニューが時間帯に応じた待機階床の設定の場合、「１０時００分から１２時０５分の間の待機階は５階と設定されました。」と放送される。
また、メニューがエレベータの定格以下の速度の設定の場合、「下降時の速度は定格速度の５０％と設定されました。」と放送される。
【００２６】
また、音声確認手段２７は、パラメータ変更手段２６からデータ異常が通知されたとき、異常通知フレーズをスピーカ８から放送する。例えば、「異常データが入力されました。」と放送される。
【００２７】
なお、パラメータの変更が正常に行われたとき、インジケータ１４の下表示として「０」を点灯し、異常のとき「Ｅ」を点灯しても確認する効果を奏することができる。
【００２８】
エレベータ制御装置７は、現モードが通常運行モードのときにモード切換指令を受信したとき、かご呼びの登録の有無を判断し、かご呼びが登録されていないとき、かご呼び釦の入力を無効にするとともにメニュー選択手段２４に変更許可指令を送る。
また、エレベータ制御装置７は、現モードがパラメータ変更モードのときにモード切換指令を受信したとき、かご呼び釦の入力を有効にする。
また、エレベータ制御装置７は、パラメータファイルが更新されたとき、そのパラメータファイルに基づきエレベータの制御のパラメータを変更する。そして、エレベータ制御装置７は、変更されたパラメータに基づき、エレベータの運行を再開する。
また、エレベータ制御装置７は、異常終了を受信したとき、呼び釦からの呼びを有効に変更し、パラメータの変更を行わずにエレベータの運行を再開する。
【００２９】
次に、パラメータの変更の手順について図６を参照して説明する。
操作員は、暗証番号が知らされていて、さらにパラメータ変更シートが渡されている。
ステップ１０１で、操作員は、かご操作盤５からかご呼び登録が無いかどうか判断し、かご呼び登録がないとき、ステップ１０２へ進み、かご呼び登録があるとき、ステップ１０１を繰り返す。
ステップ１０２で、操作員は、戸閉釦１２と戸開釦１３とを同時に５秒間以上に亘って押し続ける。モード切換手段２２は、モード切換信号をエレベータ制御装置７に送信する。また、モード切換手段２２は、インジケータ１４の上表示として「−」を点灯する。エレベータ制御装置７は、モード切換信号を受信すると、各階床の呼び釦４からの入力を無視する。一般利用客からの呼びには応答しない。
ステップ１０３で、暗証番号照合手段２３は、行先階呼び釦１１および戸閉釦１２から入力される数を予め定められた暗証番号と照合し、一致したときステップ１０４へ進み、不一致のときステップ１０１へ戻る。
例えば、暗証番号が１２３４のとき、戸閉釦１２を用いて入力することができる。すなわち、戸閉釦１２を２回押す。そこで戸開釦１３を押すと「１」が確定される。次に、戸閉釦１２を１回押し、戸開釦１３を押すと「２」が確定される。次に、戸閉釦１２を１回押し、戸開釦１３を押すと「３」が確定される。次に、戸閉釦１２を１回押し、戸開釦１３を押すと「４」が確定される。この４桁の数字が入力されると、暗証番号照合手段２３は照合し、一致するとインジケータ１４の上表示として「−」を点滅する。
ステップ１０４で、操作員はパラメータ変更シート（図３）を参照して所望のメニューの番号を戸閉釦１２と戸開釦１３とを操作して入力し、メニュー選択手段２４は、入力されたメニューのパラメータファイルをエレベータ制御装置７から読み出す。
ステップ１０５で、操作員はパラメータ変更シートを参照して所望のメニューの変更項目の値を戸閉釦１２と戸開釦１３とを操作して入力し、パラメータ変更手段２６は、所望のメニューに係わるパラメータファイルに、その入力された値を代入する。
ステップ１０６で、パラメータ変更手段２６は、更新されたパラメータファイルが形式的に正しいか否かを判断する。形式的に正しいと判断したとき、該パラメータファイルを書き換える。同時に、正常終了を音声確認手段２７に通知してステップ１０７へ進む。一方、更新されたパラメータファイルが形式的に異常と判断したとき、エレベータ制御装置７と音声確認手段２７とに異常終了を通知し、ステップ１０７へ進む。
ステップ１０７で、音声確認手段２７は、正常終了の通知を受けたとき変更内容を、異常終了の通知を受けたとき異常終了する旨を、かご３内に設置されたスピーカ８から放送する。
ステップ１０８で、エレベータ制御装置７は正常終了または異常終了の通知をうけたとき、かご呼びの登録を「有効」に切り換えて、通常の運転に戻る。
【００３０】
次に、ステップ１０５における数の入力に関して詳しく説明する。
メニュー１、時間帯に応じた待機階床の設定を例に挙げて説明する。メニュー１では、時間帯を規定する開始時間と終了時間および待機階床の階数を変更する。
例えば、待機階床を１０：００〜１２：１０の間５階に変更する場合を示す。
メニュー選択時に「１」を設定しているので、再度戸開釦１３を押して「１」を確定する。次に、戸閉釦１２を９回押すと「０」となるので、戸開釦１３を押して「０」を確定する。次に、戸閉釦１２を操作しないと「０」のままなので、戸開釦１３を押して「０」を確定する。次に、戸閉釦１２を操作しないと「０」のままなので、戸開釦１３を押して「０」を確定する。次に、戸閉釦１２を１回押すと「１」になるので、戸開釦１３を押して「１」を確定する。次に、戸閉釦１２を１回押すと「２」になるので、戸開釦１３を押して「２」を確定する。次に、戸閉釦１２を９回押すと「１」になるので、戸開釦１３を押して「１」を確定する。次に、戸閉釦１２を９回押すと「０」になるので、戸開釦１３を押して「０」を確定する。
次に、戸閉釦１２を５回押すと「５」になるので、戸開釦１３を押して「５」を確定する。最後に、戸開釦１３を押すと入力が確定される。
【００３１】
次に、メニュー２、エレベータの定格以下の速度の設定を例に挙げて説明する。メニュー２では、速度の定格速度に対する割合と走行の方向を変更する。
例えば、下降時の速度を定格速度の５０％に変更する場合を示す。
メニュー選択時に「２」を設定しているので、戸閉釦１２を３回押すと「５」になり、戸開釦１３を押して「５」を確定する。次に、戸閉釦１２を５回押すと「０」になるので、戸開釦１３を押して「０」を確定する。次に、戸閉釦１２を２回押すと「２」になるので、戸開釦１３を押して「２」を確定する。
【００３２】
以下、同様に繰り返し操作を行うことで別のパラメータも変更することができる。
なお、途中で入カミス等によりリセットしたい場合、戸閉釦１２と戸開釦１３とを同時に５秒以上に亘って押してモードを通常運行モードに切り換える。
【００３３】
このようなエレベータの制御装置は、特殊な入力装置ではなく、エレベータのかご操作盤に標準的に備えられる釦だけを用いて、ユーザが設置後運行制御のパラメータを変更できるので、安価にパラメータ変更のできるエレベータを提供することができる。
【００３４】
また、ハードウエアの変更ではなく、ソフトウエアの変更だけで納入済みのエレベータに低コストでかつ大幅な改造工事を施すことなくパラメータの変更の機能を追加することができる。
【００３５】
また、変更可能なパラメータがメニュー化されているので、ユーザの使用条件に合わせてユーザが容易にパラメータを変更することができる。
【００３６】
実施の形態２．
図７は、この発明の実施の形態２のエレベータ制御装置が備えられたエレベータの概略図である。
実施の形態２のエレベータ制御装置３０は、実施の形態１のエレベータ制御装置７に通信手段３１がさらに備えられており、その他は実施の形態２のエレベータ制御装置７と同様であるので、同様な部分に同じ符号を付記して説明を省略する
通信手段３１は、公衆回線３２を介してエレベータの保守管理を行う保守センター３３に接続されている。
そして、通信手段３１は、変更されたパラメータを随時公衆回線３２を介して保守センターに送信する。
【００３７】
このようなエレベータ制御装置は、変更されたパラメータが公衆回線を介してエレベータの保守管理する保守センターヘ送信されるので、ユーザによるエレベータのパラメータの変更を監視することができる。
【図面の簡単な説明】
【００３８】
【図１】この発明の実施の形態１に係わるパラメータ制御装置が設置されたエレベータの概観図である。
【図２】パラメータの変更に用いるかご操作盤の平面図である。
【図３】パラメータ変更シートの記載内容を示す図である。
【図４】実施の形態１のパラメータ変更装置の機能ブロック図である。
【図５】かご操作盤からの入力の処理の内容を示す図である。
【図６】パラメータを変更する手順を示すフローチャートである。
【図７】この発明の実施の形態２のエレベータ制御装置が備えられたエレベータの概略図である。
【符号の説明】
【００３９】
１  エレベータ、２  昇降路、３  かご、４  呼び釦、５  かご操作盤、６  かご駆動装置、７  エレベータ制御装置、８  スピーカ、９  通信回線、１０  パラメータ変更装置、１１  行先階設定釦、１２  戸閉釦、１３  戸開釦、１４  インジケータ、２１  操作盤入力処理手段、２２  モード切換手段、２３  暗証番号照合手段、２４  メニュー選択手段、２５  設定項目記憶手段、２６  パラメータ変更手段、２７  音声確認手段、３０  エレベータ制御装置、３１  通信手段、３２  公衆回線、３３  保守センター。
【図１】
2006016149.tif 000003
【図２】
2006016149.tif 000004
【図３】
2006016149.tif 000005
【図４】
2006016149.tif 000006
【図５】
2006016149.tif 000007
【図６】
2006016149.tif 000008
【図７】
2006016149.tif 000009